(57)【特許請求の範囲】
【請求項１】
被検体の医用画像を生成する医用画像生成部と、
前記医用画像における対象領域の輪郭に移動可能な複数の可動点を設定する輪郭設定部と、
前記対象領域の中に基準点を設定する基準点設定部と、
前記可動点から選択した第１の可動点を移動し、前記基準点に対する前記第１の可動点の移動量に予め設定された移動係数を乗じた値に基づいて、前記第１の可動点以外の第２の可動点を移動して前記輪郭を修正する輪郭修正部とを備えることを特徴とする医用画像診断装置。
【請求項２】
前記輪郭設定部は、さらに、前記輪郭の特徴的な部位の前記可動点を移動不能な複数の不動点として設定し、
前記輪郭修正部における前記移動係数は、それぞれの前記不動点と前記第１の可動点とに挟まれる第２の可動点ごとに設定されることを特徴とする請求項１に記載の医用画像診断装置。
【請求項３】
前記輪郭修正部は、前記基準点と前記第１の可動点との位置関係によって決められる前記第１の可動点の移動方向に応じて、前記第２の可動点の移動方向を決定することを特徴とする請求項１又は２に記載の医用画像診断装置。
【請求項４】
前記輪郭修正部は、前記第１の可動点と前記基準点とを通る第１の直線に対する前記第１の可動点の移動方向に応じて、前記第２の可動点と前記基準点とを通る第２の直線に対する前記第２の可動点の移動方向を決定することを特徴とする請求項１又は２に記載の医用画像診断装置。
【請求項５】
前記第１の直線に対する前記第１の可動点の移動方向が、前記第２の直線に対する前記第２の可動点の移動方向であることを特徴とする請求項４に記載の医用画像診断装置。
【請求項６】
前記輪郭修正部は、前記第１の直線に対する前記第１の可動点の移動方向の平行成分と垂直成分の成分比率に基づいて、第２の直線に対する前記第２の可動点の移動方向を決定することを特徴とする請求項４に記載の医用画像診断装置。
【請求項７】
前記輪郭修正部は、前記第１の可動点と前記基準点とを通る第１の直線に対する前記第１の可動点の移動方向に応じて、前記第２の可動点と前記基準点とを通る第２の直線に対する前記第２の可動点の移動方向を決定し、
さらに、前記不動点として少なくとも３つ設定し、設定された少なくとも３つの前記不動点の位置関係に基づいて前記対象領域内に１つの軸を設定し、該軸に対する前記第１の直線及び前記第２の直線の方向に応じて、前記第１の可動点及び前記第２の可動点の移動方向を決定することを特徴とする請求項２に記載の医用画像診断装置。
【請求項８】
前記輪郭修正部は、前記輪郭において、前記可動点と前記不動点を切り替えることを特徴とする請求項２に記載の医用画像診断装置。
【請求項９】
被検体の医用画像を生成し、
前記医用画像における対象領域の輪郭に複数の可動点を設定し、
前記対象領域の中に基準点を設定し、
前記可動点から選択した第１の可動点を移動し、前記基準点に対する前記第１の可動点の移動量に予め設定された移動係数を乗じた値に基づいて、前記第１の可動点以外の第２の可動点を移動して前記輪郭を修正することを特徴とする医用画像処理方法。
【請求項１０】
さらに、前記輪郭の特徴的な部位の前記可動点を移動不能な複数の不動点として設定し、前記移動係数は、それぞれの前記不動点と前記第１の可動点とに挟まれる第２の可動点ごとに設定することを特徴とする請求項９に記載の医用画像処理方法。
【発明の詳細な説明】
【技術分野】
【０００１】
本発明は、医用画像診断装置に関し、特に、医用画像における対象領域の輪郭を修正する医用画像診断装置に関する。
【背景技術】
【０００２】
医用画像には、Ｘ線画像、ＣＴ、ＭＲＩ、超音波画像（ＵＳ）、及び血管造影（血管撮影）などがある。特に、超音波診断装置は、生体の心臓などの断層像をリアルタイムでモニタに表示して観察できるため、医療の分野で広く用いられている。
【０００３】
モニタに表示されている心臓組織の長さ、面積、及び容積などのような心臓組織の形状に関する情報は、病変の程度を診断する重要な情報の一つである。これらの情報は、検者が超音波診断装置の入力機器を操作して計測される。したがって、検者の負担を軽減し検査時間を短くするために、簡便なユーザーインターフェースを備え、且つ高精度な計測が可能な超音波診断装置が求められている。
【０００４】
心臓組織の形状を計測するための手法の一つとして、計測対象の輪郭を抽出する手法がある。従来は、検者が入力機器を操作して、表示画面においてカーソルを組織の輪郭に沿って移動させる（組織の輪郭の上をカーソルが移動するように指示する）ことによって、計測の対象領域の輪郭を抽出する。
【０００５】
また、別の手法としては、超音波診断装置が自動的に組織の輪郭を抽出する手法がある。この手法では、輪郭の自動抽出処理の精度が低い場合、さらに手動によって（検者による入力機器の操作によって）対象領域の輪郭を修正する。
【０００６】
具体的には、画像上に設定された連続する多節線分又は点列Ｐ１、Ｐ２・・・Ｐｎで構成される輪郭の形状を修正する場合、設定された輪郭点のうち１つを選択して移動させることで、輪郭の形状を変形させる。さらに、選択された輪郭点を移動する際に、選択された点列に隣接する他の点列の１つ又は複数を、所定の張力に応じて選択された輪郭点に追随して移動させる技術が提案されている（例えば、特許文献１及び特許文献２参照）。特許文献１に記載されている技術では、閉曲線の張力という概念を導入し、移動方向が内側に向うものであれば張力を強くして隣接点の移動量を抑制し、逆に移動方向が外側に向かうものであれば張力を弱くして隣接点の移動量を抑制するという処理が実行される。
【０００７】
また、特許文献２に記載されている技術では、抽出した複数の輪郭点の中から２つの弁輪部上の点を自動的に算出し、それらの点を結ぶように輪郭点を修正する処理が実行される。
【先行技術文献】
【特許文献】
【０００８】
【特許文献１】特開２０００−３０８６１９号公報
【特許文献２】特開平９−１３１３４５号公報
【発明の概要】
【発明が解決しようとする課題】
【０００９】
従来の医用画像診断装置によって抽出される組織の断面像は、円形や楕円形に近似されるような滑らかな輪郭を有している場合がある（例えば、心臓の左室など）。しかしながら、従来の医用画像診断装置によって輪郭点を移動させる場合、輪郭点の張力を用いて複数点を同時に修正する手法では、移動させた輪郭点の隣接点が張力によって引き寄せられた結果、移動させた輪郭点付近が鋭角となってしまう。そのため、滑らかな曲線（円形や楕円形など）に輪郭を修正するためには、輪郭点を選択して移動させ、次に別の輪郭点を選択して移動させるといったように、検者が望む形状になるまで複数回修正操作を行う必要があり、適切な形状が速やかに得られないという問題があった。また、弁輪部付近を自動的に抽出して輪郭を修正する手法は、弁輪部付近の輪郭の修正には適しているが、それ以外の輪郭の修正には適さないという問題があった。
【００１０】
本発明は、従来の問題を解決するためになされたもので、円形や楕円形などの滑らかな曲線に近似される輪郭線（例えば、心腔領域の輪郭線）の輪郭点を移動させたときに、滑らかな曲線を維持したまま輪郭の修正が可能であり、適切な輪郭を速やかに得られる医用画像診断装置を提供する。
【課題を解決するための手段】
【００１１】
本発明の医用画像診断装置は、被検体の医用画像を生成する医用画像生成部と、前記医用画像における対象領域の輪郭に移動可能な複数の可動点を設定する輪郭設定部と、前記対象領域の中に基準点を設定する基準点設定部と、前記可動点から選択した第１の可動点を移動し、前記基準点に対する前記第１の可動点の移動量に予め設定された移動係数を乗じた値に基づいて、前記第１の可動点以外の第２の可動点を移動して前記輪郭を修正する輪郭修正部とを備える。
【００１２】
この構成によれば、重心点などの基準点を設定し、移動させる可動点（第１の可動点）と基準点の位置関係に基づいて、他の可動点（第２の可動点）を第１の可動点に連動させて修正することができることから、基準点の設定を調整することで、適切な輪郭を速やかに得られる。特に、可動点から選択した第１の可動点を移動し、基準点に対する第１の可動点の移動量に予め設定された移動係数を乗じた値に基づいて、第１の可動点以外の第２の可動点を移動して輪郭を修正するようにしているから、円形や楕円形などの滑らかな曲線に近似される輪郭線（例えば、心腔領域の輪郭線）の輪郭点を移動させたときに、滑らかな曲線を維持したまま輪郭の修正が可能であり、適切な輪郭を速やかに得られる。
【００１３】
本発明の医用画像診断装置では、前記輪郭修正部は、前記輪郭を修正する場合に、前記第１の可動点と前記基準点との位置関係に応じて、前記第２の可動点を修正する。
【００１４】
この構成によれば、輪郭を修正する場合に、第２の可動点を第１の可動点に連動させて修正することができることから、基準点の設定を調整することで、適切な輪郭を速やかに得られる。
【００１５】
本発明の医用画像診断装置では、前記輪郭修正部は、前記基準点と前記第１の可動点との位置関係によって決められる前記第１の可動点の移動方向に応じて、前記第２の可動点の移動方向を決定する。
【００１６】
この構成によれば、基準点と第１の可動点の位置関係に基づき、第１の可動点の移動方向に応じて、第２の可動点を第１の可動点に連動させて修正することができることから、第１の可動点の移動方向と第２の可動点の移動方向の関係を調整することで、適切な輪郭を速やかに得られる。
【００１７】
本発明の医用画像診断装置では、前記輪郭修正部は、前記第１の可動点と前記基準点とを通る第１の直線に対する前記第１の可動点の移動方向に応じて、前記第２の可動点と前記基準点とを通る第２の直線に対する前記第２の可動点の移動方向を決定する。
【００１８】
この構成によれば、可動点と基準点を通る直線に基づき、第１の可動点の移動方向に応じて、第２の可動点を第１の可動点に連動させて修正することができることから、第１の可動点の移動方向と第２の可動点の移動方向の関係を調整することで、適切な輪郭を速やかに得られる。
【００１９】
本発明の医用画像診断装置では、前記輪郭修正部は、前記第１の可動点の移動量に応じて、前記第２の可動点を移動させる。
【００２０】
この構成によれば、第１の可動点の移動量に応じて、第２の可動点を第１の可動点に連動させて修正することができることから、第１の可動点の移動方向と第２の可動点の移動量の関係を調整することで、適切な輪郭を速やかに得られる。
【００２１】
本発明の医用画像診断装置では、前記第１の直線に対する前記第１の可動点の移動方向が、前記第２の直線に対する前記第２の可動点の移動方向である。
【００２２】
この構成によれば、可動点と基準点を通る直線に基づいて、それぞれの直線に対する第１の可動点と第２の可動点の移動角度を等しくすることで、第２の可動点を第１の可動点に連動させて修正することができることから、適切な輪郭を速やかに得られる。
【００２３】
本発明の医用画像診断装置では、前記輪郭修正部は、前記輪郭において移動不能な複数の不動点の位置から導かれた軸に対する前記第１の直線及び前記第２の直線の方向に応じて、前記第１の可動点及び前記第２の可動点の移動方向を決定する。
【００２４】
この構成によれば、不動点の位置から導かれた軸に基づいて、この軸の方向成分の移動量を調整することで、第１の可動点と第２の可動点の移動方向を決定して、第２の可動点を第１の可動点に連動させて修正することができることから、第１の可動点の移動方向と第２の可動点の移動方向の関係を調整することで、適切な輪郭を速やかに得られる。
【００２５】
本発明の医用画像診断装置では、前記輪郭修正部は、前記第１の可動点の移動量に重み付け係数を乗算した移動量に基づいて、前記第２の可動点を移動させる。
【００２６】
この構成によれば、第１の可動点の移動量に重み付け係数を乗算することで、第１の可動点の移動量に応じて、第２の可動点を第１の可動点に連動させて修正することができることから、重み付け係数を調整することで、適切な輪郭を速やかに得られる。
【００２７】
本発明の医用画像診断装置では、前記輪郭修正部は、前記輪郭の不動点を設定する。
【００２８】
この構成によれば、不動点を設定することで滑らかな曲線を維持したまま輪郭の修正が可能となる。また、複数の不動点を設定して、不動点間に存在する可動点を第１の可動点に連動させて修正すれば、所定の範囲の可動点を修正できるので、滑らかな曲線を維持したまま輪郭の修正が可能となり、適切な輪郭を速やかに得られる。
【００２９】
本発明の医用画像診断装置では、前記輪郭修正部は、前記輪郭において、可動点と前記不動点を切り替える。
【００３０】
この構成によれば、可動点と不動点を切り替えることで、所定の範囲の可動点を選択して修正することができるので、滑らかな曲線を維持したまま輪郭の修正が可能となり、適切な輪郭を速やかに得られる。
【００３１】
本発明の医用画像処理方法は、被検体の医用画像を生成し、前記医用画像における対象領域の輪郭を設定し、前記医用画像における基準点を設定し、前記輪郭の第１の可動点と前記基準点との位置関係に応じて、前記輪郭の第２の可動点を修正する。
【００３２】
この構成によれば、重心点などの基準点を設定し、移動させる可動点（第１の可動点）と基準点の位置関係に基づいて、他の可動点（第２の可動点）を第１の可動点に連動させて修正することができることから、基準点の設定を調整することで、適切な輪郭を速やかに得られる。
【発明の効果】
【００３３】
本発明によれば、少ない手順と時間で複数の輪郭点を同時に修正することができ、滑らかな曲線を維持したまま輪郭の修正が可能となる。
【図面の簡単な説明】
【００３４】
【図１】第１の実施の形態にかかる医用画像診断装置の構成を概念的に示した図である。
【図２】第１の実施の形態にかかる医用画像診断装置のディスプレイが表示する表示画面の一例を示した図である。
【図３】第１の実施の形態にかかる医用画像診断装置の動作を示したフローチャートである。
【図４】第１の実施の形態における第１の直線に対する第１の可動点の移動方向に応じて、第２の可動点を移動させることを示した図である。
【図５】移動係数の例を表した図である。
【図６】第２の実施の形態における第１の直線に対する第１の可動点の移動方向に応じて、第２の可動点を移動させることを示した図である。
【図７】不動点の数が弁輪部の合計２点であることを示した図である。
【図８】血管壁の輪郭の修正を説明する図である。
【発明を実施するための形態】
【００３５】
（第１の実施の形態）
以下、本発明の第１の実施の形態にかかる超音波診断装置について、図面を用いて説明する。図１は、本実施の形態にかかる超音波診断装置１の構成を概念的に示した図である。
【００３６】
図１に示すように、超音波診断装置１は、超音波信号生成部３（医用画像生成部に相当する）、超音波画像生成部４、記憶部５、出力／表示部６、入力部７、演算部８、輪郭線抽出部９（輪郭設定部に相当する）、計測値算出部１０、重心位置算出部１１（基準点設定部に相当する）、及び輪郭修正部１２を備える。
【００３７】
超音波信号生成部３は、探触子及び超音波信号送受信部（図示せず）を通して、被検体２の組織の超音波信号を生成する。探触子は、振動子から対象組織に向かって超音波を送受信し、リニア型、コンベックス型、及びセクタ型などがある。超音波信号送受信部は、探触子との間で超音波信号を送受信する。
【００３８】
超音波信号生成部３は、演算部８から送受信のパワーやタイミングの情報を受け取り、所望の超音波信号が得られるように、超音波信号送受信部を制御する。そして、超音波信号生成部３は、整相回路や増幅回路を用いて、超音波信号送受信部からの受信信号に対して所定の撮像設定に従って信号処理を行い、超音波信号を生成する。
【００３９】
超音波画像生成部４は、所定の撮像設定、例えば、超音波ビームの走査範囲やゲイン設定などに基づいて、超音波信号から超音波画像（医用画像）を生成する。超音波画像は、撮像設定によって決定されるフレームレートに従って常時更新される。そして、超音波画像生成部４によって生成される超音波画像は、出力／表示部６によって映像として超音波診断装置１のディスプレイに表示される。
【００４０】
記憶部５は、超音波信号、超音波画像、及び心電図などの被検体２から取得される信号及び画像データを記憶する。また、記憶部５には、超音波診断装置１を構成する各部を動作させるためのプログラムが格納されている。例えば、記憶部５は、半導体メモリ、ハードディスク、及び光ディスクなどの記憶媒体である。また、記憶部５は、ネットワークを介した外部記憶媒体でもよい。
【００４１】
出力／表示部６は、超音波診断装置１のディスプレイに超音波画像を表示し、輪郭線抽出部９によって抽出される輪郭を超音波画像に重畳して表示し、計測値算出部１０によって計測される生体組織の形状の計測値を表示する。また、出力／表示部６は、超音波画像や計測値を記憶部５に記憶させ、計測レポートとして出力する。
【００４２】
入力部７は、超音波診断装置１の各種操作を行うユーザーインターフェースである。本実施の形態では、入力部７は、超音波診断装置１のディスプレイにおいて、生体組織の位置を指定するために用いられる。入力部７は、例えば、キーボード、トラックボール、スイッチ、及びダイヤルなどの入力機器である。また、入力部７は、音声入力と組みあわせてもよい。
【００４３】
演算部８は、超音波診断装置１のシステム全体を制御するとともに、下記に述べるように、計測項目や輪郭点を設定又は変更した場合に、入力部７、輪郭線抽出部９、重心位置算出部１１、輪郭修正部１２、計測値算出部１０、及び出力／表示部６の一連の処理を制御する。例えば、演算部８は、ＣＰＵなどの制御装置を用いたものである。
【００４４】
輪郭線抽出部９は、超音波画像における心臓などの生体組織の輪郭を抽出する。輪郭は、生体組織の形状にフィットするように抽出される必要がある。例えば、輪郭線抽出部９は、エッジ検出、動的輪郭モデル、及び領域分割などを利用する手法により、生体組織の輪郭を抽出する。これらの手法は、輪郭が不動点を通るように制御され、スプライン曲線のような曲線モデルを用いて滑らかな形状に変形しても良い。輪郭線抽出部９による処理の結果は、出力／表示部６によって、超音波画像に重畳されて超音波診断装置１のディスプレイに表示される。
【００４５】
計測値算出部１０は、計測項目に関する計測値を算出する。計測項目は、輪郭の長さ及び輪郭内の面積や容積などである。例えば、心臓に関する超音波画像の場合、容積については、Ａｒｅａ−ｌｅｎｇｔｈ法やＭｏｄｉｆｉｅｄ  Ｓｉｍｐｓｏｎ法などの既存の計測方法を適用して、計測値が算出される。左室駆出率（ＥＦ）は、拡張末期容積と収縮末期容積の差を拡張末期容積によって除した値によって、計測値が算出される。計測値は、出力／表示部６によって、超音波画像とともに、超音波診断装置１のディスプレイに表示される。
【００４６】
重心位置算出部１１は、輪郭線抽出部９にて抽出された輪郭領域の重心を算出する。輪郭修正部１２は、輪郭線抽出部９によって抽出された輪郭を、重心位置算出部１１によって設定された重心点に基づいて修正を行う。
【００４７】
図２は、超音波診断装置１のディスプレイが表示する表示画面の一例を示した図である。表示画面２０１には、心尖４腔像の左室拡張末期を示す画像２０２が表示されている。表示画面２０１には、計測項目に関する計測結果を示す計測値２０３が表示されている。表示画面２０１には、左室の輪郭２０６（太実線にて図示）が表示されている。生体組織の実際の輪郭は、点線で図示される。
【００４８】
左室拡張末期画像２０２には、輪郭２０６とともに、輪郭２０６の不動点Ｐ１、Ｐ６、Ｐ１１（プラス記号「＋」にて図示）及び可動点Ｐ２〜Ｐ５、Ｐ７〜Ｐ１０（丸記号にて図示）が重畳されて表示される。
【００４９】
次に、本実施の形態にかかる超音波診断装置の動作について図２〜図７を用いて説明する。特に、対象とする生体組織を左心室とし、表示されている左心室の形状から左心室の容積などを計測する場合について説明する。
【００５０】
図３は、本実施の形態の超音波診断装置１の動作を示したフローチャートである。図３に示すように、超音波診断装置１の出力／表示部６は、対象である生体組織の画像を表示画面２０１に表示する（ステップＳ１）。ここでは、左心室容積計測及び左心室駆出率計測について説明する。図２に示すように、表示画面２０１には、左室心尖４腔像の拡張末期画像２０２が表示される。
【００５１】
輪郭線抽出部９は、入力部７を用いて、計測対象組織（対象領域）の輪郭点Ｐ１〜Ｐ１１を手動又は自動で設定する（ステップＳ２）。手動で輪郭を設定する手法としては、トラックボールなどの入力部７を用いて、出力／表示部６に表示されている左心室の形状に沿ってカーソルを動かすことで、輪郭線抽出部９が輪郭を抽出する手法がある。自動で輪郭を設定する手法としては、入力部７を用いて、左室領域における特徴的な部位に不動点Ｐ１、Ｐ６、Ｐ１１を設定し、不動点の位置に基づいて、輪郭線抽出部９が不動点を通るスプライン曲線や楕円形などの輪郭線２０６を算出する手法や、画像処理により可動点Ｐ２〜Ｐ５、Ｐ７〜Ｐ１０を算出する手法がある。図２では、左室の弁輪部に２つの不動点Ｐ１、Ｐ１１と心尖部に１つの不動点Ｐ６が設定されており、合計３つの不動点が設定されている。
【００５２】
次に、重心位置算出部１１は、輪郭線抽出部９で抽出された輪郭点Ｐ１〜Ｐ１１に対して、その輪郭点の重心点ｇ（基準点）を算出する（ステップＳ３）。具体的には、下記の式（１）により重心点ｇを設定する。式（１）は、位置座標Ｐｎ（ｘｎ，ｙｎ）により表されるｎ個の輪郭点がある場合、その輪郭点の重心ｇ（ｇｘ，ｇｙ）を算出する式である。
【００５３】
【数１】
0005814655.tif 000002
【００５４】
なお、本実施の形態の重心点ｇは、輪郭線抽出部９によって算出された輪郭点Ｐ１〜Ｐ１１の重心を基準点とするが、入力部７によって設定された不動点Ｐ１、Ｐ６、Ｐ１１の重心を基準点としてもよい。
【００５５】
図４は、第１の可動点と基準点とを通る直線（第１の直線）に対する第１の可動点の移動方向に応じて、第２の可動点を移動させることを示した図である。図４に示すように、入力部７の操作によって、可動点が少なくとも１つ選択され、移動する（ステップＳ４）。選択されて移動する第１の可動点を「選択点」という。ここでは、図４（ａ）に示される可動点Ｐ８（三角記号にて図示）が選択点となる。このとき、図４（ｂ）に示すように、選択点Ｐ８の移動可能な方向は、選択点Ｐ８（第１の可動点）と重心点ｇ（基準点）とを通る直線Ｌ８（第１の直線）方向である。すなわち、第１の直線Ｌ８に対する選択点Ｐ８（第１の可動点）の移動角度は、「０°」である。
【００５６】
図４（ｂ）に示すように、輪郭修正部１２が、重心点ｇに対する選択点Ｐ８の移動量Ｍ８（選択点Ｐ８と選択点Ｐ８’との移動量）を算出する（ステップＳ５）。すなわち、輪郭修正部１２は、重心点ｇ（基準点）と選択点Ｐ８（第１の可動点）との位置関係に基づいて、選択点Ｐ８の移動量Ｍ８を算出する。
【００５７】
図４（ｃ）に示すように、輪郭修正部１２が、選択点Ｐ８’と重心点ｇとの位置関係に応じて、選択点Ｐ８’以外の輪郭点（第２の可動点）の位置を修正する（ステップＳ６）。この場合、輪郭修正部１２は、選択点Ｐ８’の移動量Ｍ８、重心点ｇ、不動点、及び可動点の位置関係を考慮して、第２の可動点の移動方向と移動量を算出する。
【００５８】
本実施の形態では、選択点Ｐ８を含む不動点間Ｐ６〜Ｐ１１に存する可動点Ｐ７、Ｐ９、Ｐ１０が修正される場合について説明する。図４（ｃ）に示すように、可動点Ｐ８の移動方向は、重心点ｇと可動点Ｐ８とを通る直線Ｌ８（第１の直線）上である。したがって、選択点Ｐ８の移動角度は、「０°」である。
【００５９】
輪郭修正部１２は、選択点Ｐ８（第１の可動点）の移動方向に応じて、修正される可動点Ｐ７、Ｐ９、Ｐ１０（第２の可動点）の移動方向を決定する。具体的には、可動点Ｐ７、Ｐ９、Ｐ１０の移動方向は、それぞれの可動点Ｐ７、Ｐ９、Ｐ１０（第２の可動点）と重心点ｇ（基準点）とを通る直線Ｌ７、Ｌ９、Ｌ１０（第２の直線）に対して「０°」である。すなわち、直線Ｌ７、Ｌ９、Ｌ１０（第２の直線）に対する可動点Ｐ７、Ｐ９、Ｐ１０（第２の可動点）の移動方向は、直線Ｌ８（第１の直線）に対する可動点Ｐ８（第１の可動点）の移動方向であり、第２の直線上となる。
【００６０】
輪郭修正部１２は、選択点Ｐ８（第１の可動点）の移動量Ｍ８に応じて、修正される可動点Ｐ７、Ｐ９、Ｐ１０（第２の可動点）を移動させる。具体的には、修正される可動点Ｐ７、Ｐ９、Ｐ１０の移動量Ｍ７、Ｍ９、Ｍ１０は、Ｐ８の移動量Ｍ８に移動係数（重み付け係数）を乗算して算出される。図５は、移動係数の例を表した図である。図５（ａ）に示すように、移動係数は、選択点Ｐ８の移動係数を「１」とし、不動点の移動係数を「０」として、線形に変化する。すなわち、選択点Ｐ８を含む不動点Ｐ６、Ｐ１１の間に存する輪郭点Ｐ６〜Ｐ１１の移動量ＭＸ（６≦Ｘ≦１１）は下記の式（２）ように表される。
【００６１】
【数２】
0005814655.tif 000003
【００６２】
なお、選択点Ｐ８を含まない不動点間に存する輪郭点Ｐ１〜Ｐ５は、移動係数「０」であるため、それぞれの移動量Ｍ１〜Ｍ５は「０」となる。したがって、選択点Ｐ８を含まない不動点間に存する輪郭点Ｐ１〜Ｐ５は移動しない。
【００６３】
このように、基準点に対する選択点Ｐ８（第１の可動点）の移動量及び移動方向に応じて、輪郭修正部１２が可動点Ｐ７、Ｐ９、Ｐ１０（第２の可動点）の移動量を算出することで、図４（ｄ）に示すように、選択点Ｐ８の移動に伴って、可動点Ｐ７、Ｐ９、Ｐ１０が移動する。
【００６４】
なお、移動係数は、対象領域に応じて様々に変化させることができる。例えば、図５（ｂ）に示すように、不動点Ｐ６と選択点Ｐ８との間の可動点の移動量を選択点Ｐ８の移動量と同じとする移動係数を用いてもよい。これは、心尖部に設定された不動点Ｐ６と選択点Ｐ８との間の修正に注目して、輪郭の修正が実現される。また、図５（ｃ）に示すように、滑らかな移動係数を設定すると、選択点Ｐ８付近の可動点の移動量を顕著にすることが可能となる。なお、移動係数は、「１」以上であってもよい。また、輪郭修正部１２は、移動係数を乗算する以外にも、移動量にオフセットを行うことで、可動点の移動量を調整することもできる。
【００６５】
次に、更新された輪郭点に対して、計測値算出部１０が計測演算を行い、計測値を算出する（ステップＳ７）。ここでは、左室の容積、心筋重量、ＥＦが算出される。容積を計測するためには、Ａｒｅａ−ｌｅｎｇｔｈ法やＭｏｄｉｆｉｅｄ  Ｓｉｍｐｓｏｎ法などが適用可能であり、心筋重量を計測するためには、Ａｒｅａ−ｌｅｎｇｔｈ法やＴｒｕｎｃａｔｅｄ  ｅｌｌｉｐｓｏｉｄ法などが適用可能である。計測値算出部１０は、外膜によって囲まれる内部領域の容積から内膜によって囲まれる内部領域の容積を差し引いて心筋の容積とし、これに比重を乗算することによって心筋重量を算出してもよい。また、計測値算出部１０は、図２の左室拡張末期画像２０２と同様に、左室収縮末期画像に対しても容積を算出することが可能であり、拡張末期画像の容積結果と収縮末期画像の容積結果を基に、ＥＦ値を算出することも可能である。
【００６６】
超音波診断装置１の出力／表示部６は、超音波画像（医用画像）である左室拡張末期画像２０２に対して、ステップＳ６で算出した輪郭を重畳して表示する。
【００６７】
検者は表示画面２０１に表示される輪郭２０６と計測値２０３を確認して、正確に計測対象の輪郭が抽出されているか否かを判断する（ステップＳ８）。所望の輪郭２０６が得られていれば終了し、さらに輪郭２０６を修正したい場合は、ステップＳ３に戻る。
【００６８】
本実施形態にかかる医用画像診断装置によれば、少ない手順と時間で複数の輪郭点を同時に修正することができ、滑らかな曲線を維持したまま輪郭の修正が可能となる。すなわち、本実施の形態にかかる超音波診断装置（医用画像診断装置）が、操作性が高いユーザーインターフェースを備えることで、適切な輪郭を速やかに得られる。この結果、検者が輪郭を修正する場合の煩雑さを低減して、検査効率を向上させることができる。
【００６９】
（第２の実施の形態）
以下、本発明の第２の実施の形態にかかる医用画像診断装置について、図面を用いて説明する。特に言及しない場合は、他の構成は、第１の実施の形態にかかる医用画像診断装置と同様である。
【００７０】
第１の実施の形態では、直線Ｌ８に対する選択点Ｐ８（第１の可動点）の移動角度が、直線Ｌ７、Ｌ９、Ｌ１０に対する可動点Ｐ７、Ｐ９、Ｐ１０の移動方向であるが、直線Ｌ７、Ｌ９、Ｌ１０に対する可動点Ｐ７、Ｐ９、Ｐ１０の移動方向は、これに限られない。
【００７１】
例えば、図２に示すように、左室は楕円形に近似される輪郭を有するため、輪郭の形状に応じて、可動点の移動方向を決定してもよい。本実施の形態では、図６を用いて、楕円形に近似される輪郭を、滑らかな曲線を維持したまま修正する場合について説明する。なお、図２の心尖４腔像の左室拡張末期画像２０２に表示されている心臓の輪郭のように、心臓の４腔の形状は異なり、左室は楕円形に近似される形状で表示され、左房は円形に近似される形状で表示されるため、各心腔の形状に合わせて輪郭点の修正方法を切り替えることも可能である。つまり、左房のように円形に近似される形状の場合は、第１の実施の形態に記載された移動方向を適用することも可能である。
【００７２】
図６に示すように、左室のように楕円形に近似される形状では、弁輪部２点の不動点Ｐ１、Ｐ１１と心尖部１点の不動点Ｐ６の位置から導かれた軸Ａに基づいて、可動点の移動方向が決定され、輪郭が修正される。例えば、弁輪部２点の不動点Ｐ１、Ｐ１１の中点Ｑと心尖部1点の不動点Ｐ６とを通る直線（軸Ａ）の平行方向への可動点の移動量を、垂直方向への移動量より小さくして、楕円形に近似される形状を維持したまま輪郭を修正する。すなわち、楕円形の長軸方向への移動量を短軸方向への移動量より小さくすることで、滑らかな曲線を維持したまま輪郭の修正が可能となる。なお、軸Ａは、基準点（重心点ｇ）を通らなくてもよい。
【００７３】
可動点Ｐ８を選択点とし、その選択点Ｐ８を移動させる場合（ステップＳ４）、輪郭修正部１２は、選択点Ｐ８の移動方向を次のように制限する。まず、図６（ａ）に示すように、不動点Ｐ１、Ｐ１１の中点Ｑと心尖部1点の不動点Ｐ６とを通る直線を軸Ａとする。図６（ｂ）に示すように、重心点ｇと選択点Ｐ８とを通る直線（第１の直線）を軸Ａの平行方向と垂直方向の成分に分解する。図６（ｃ）に示すように、垂直方向の成分を２倍に増加させて、平行方向と増加された垂直方向の成分を合成することで、輪郭修正部１２は、選択点Ｐ８の移動方向を決定する。つまり、輪郭修正部１２は、軸Ａに対する第１の直線Ｌ８の方向に応じて、選択点Ｐ８（第１の可動点）の移動方向（移動角度θ８）を決定する。
【００７４】
図６（ｄ）に示すように、選択点Ｐ８以外の可動点Ｐ７を移動させる場合（ステップＳ５）も同様に、重心点ｇと可動点Ｐ７とを通る直線（第２の直線）を軸Ａの平行方向と垂直方向の成分に分解し、垂直方向の成分を２倍に増加させて、平行方向と増加された垂直方向の成分を合成することで、輪郭修正部１２は、可動点Ｐ７の移動方向を決定する。つまり、輪郭修正部１２は、軸Ａに対する第２の直線Ｌ７の方向に応じて、可動点Ｐ７（第２の可動点）の移動方向（移動角度θ７）を決定する。つまり、平行成分と垂直成分の成分比率を等しくすることで、選択点Ｐ８の移動方向に応じて、可動点Ｐ７の移動方向が決定される。なお、本実施の形態では垂直成分を２倍に増加させたが、増減させる値は任意であってよい。また、垂直成分のみならず平行成分を調整することや、成分を増加させることも減少させることも可能である。
【００７５】
このように、本実施の形態によれば、心臓の形状から導かれた軸Ａの垂直方向への移動量を顕著にすることが可能となる。これにより、弁輪部（不動点Ｐ１、Ｐ１１）と心尖部（不動点Ｐ６）を不動として、軸Ａに基づいて輪郭全体の形状を維持したまま輪郭の修正が可能となる。
【００７６】
以上、本発明にかかる実施の形態について説明したが、本発明はこれらに限定されるものではなく、請求項に記載された範囲内において変更・変形することが可能である。
【００７７】
第１の実施の形態では、選択点Ｐ８の移動方向は、重心点ｇと選択点Ｐ８を通る直線Ｌ８（第１の直線）上に制限されていたが、選択点Ｐ８’を自由な方向に移動することも可能である（ステップＳ４）。この場合、選択点Ｐ８’の移動方向は、重心点ｇと選択点Ｐ８とを通る直線Ｌ８の平行成分と垂直成分に分解され、選択点Ｐ８’の平行成分と垂直成分の成分比率に基づいて、輪郭修正部１２は、選択点Ｐ８以外の可動点（例えば、可動点Ｐ７）を移動させて、輪郭を修正する（ステップＳ６）。可動点の移動方向は、重心点ｇと可動点とを通る直線（第２の直線）の平行成分と垂直成分に分解され、選択点Ｐ８’の成分比率と同じ成分比率によって決定される。すなわち、第１の直線に対する選択点Ｐ８’（第１の可動点）の移動方向に応じて、第２の直線に対する可動点（第２の可動点）の移動方向が決定される。可動点の移動量は、図５に示す移動係数（重み付け係数）を選択点Ｐ８の移動量に乗算して、決定される。この結果、選択点Ｐ８の移動方向を制限することなく、重心点（基準点）を基準に複数の輪郭点を修正することができる。
【００７８】
また、第１及び第２の実施の形態では、基準点として重心点を用いた。一般的に、重心は、輪郭の形状の基準として有用な位置を示す座標である。ただし、基準点は重心点に限る必要はない。例えば、検者が設定した任意の不動点を基準点としてもよい。また、心腔領域に接する内接円の中心（内心）や心腔領域に接する外接円の中心（外心）などを基準点として用いてもよい。なお、基準点を任意に変更することも可能である。基準点を変更することで、輪郭点全体の移動の方向や距離を変化させることができ、適用用途や部位に合わせて基準点を調整することで、最適な修正方法を選択することが可能となる。この結果、基準点を変更することで、所望の輪郭の修正が可能となる。
【００７９】
また、第１の実施の形態では、不動点の数は弁輪部Ｐ１、Ｐ１１と心尖部Ｐ６の合計３点であり、選択点Ｐ８を含む不動点間Ｐ６〜Ｐ１１に存する可動点Ｐ７〜Ｐ１０を修正対象とすることで、心尖部に設定した不動点Ｐ６を基準に左右に分けて可動点を修正する手法を説明した。ただし、不動点の数は３点に限られない。図７に示すように、不動点の数は弁輪部Ｐ１、Ｐ１１の合計２点であってもよい。
【００８０】
この場合も第１の実施の形態と同様に、検者が可動点Ｐ８を選択し、その選択点Ｐ８を移動させ（ステップＳ４）、輪郭修正部１２が、選択点Ｐ８の移動量に応じて、他の可動点Ｐ２〜Ｐ７、Ｐ９〜Ｐ１０の移動量を算出する（ステップＳ５）。この場合、図７（ｄ）に示すように移動係数を設定することで、弁輪部の不動点Ｐ１、Ｐ１１以外の可動点Ｐ２〜Ｐ１０が修正されてもよい。不動点が弁輪部の２点であるため、選択点Ｐ８の移動に伴って、左室の輪郭点の全体を修正することが可能となる。
【００８１】
なお、不動点の数は任意に決定することができ、可動点と不動点を相互に切り替えることで、不動点の数を４点以上に増やしてもよい。可動点と不動点の切り替え処理については、入力部７によって任意の輪郭点が選択され、その輪郭点が可動点又は不動点に設定される。
【００８２】
このように、可動点と不動点を任意に切り替えることで、より詳細且つ自由に輪郭を修正することができる。例えば、修正される可動点の箇所を限定するように不動点を設定することで、輪郭を修正する範囲を限定し、所望の部位を修正することが可能となり、少ない手順と時間で複数の輪郭点を同時に修正することができ、滑らかな曲線を維持したまま輪郭の修正が可能となる。すなわち、本実施の形態にかかる超音波診断装置（医用画像診断装置）が、操作性が高いユーザーインターフェースを備えることで、適切な輪郭を速やかに得られる。この結果、検者が輪郭を修正する場合の煩雑さを低減して、検査効率を向上させることができる。
【００８３】
また、第１及び第２の実施の形態では、心臓の左心室の輪郭の修正について説明したが、本発明は、心臓以外にも、複数の制御点（可動点）を用いた曲線の修正に対しても適用可能である。例えば、出力／表示部６が血管の超音波像を表示し、その血管壁を抽出して血管壁の厚みを計測する際にも、本発明を使用できる。
【００８４】
図８は、血管壁の輪郭の修正を説明する図である。図８（ａ）に示すように、抽出された血管壁の輪郭線と実際の血管壁とが、出力／表示部６により表示される。実線で表される部分が血管壁の輪郭であり、点線で表される部分が実際の血管壁である。図８（ａ）では、血管壁の凹凸に沿って輪郭が抽出されていないため、輪郭を修正する必要がある。そこで、図８（ｂ）に示すように、制御点（可動点）の少なくとも１つ（点Ｐ１２）が、選択点として選択されて移動する。このとき、選択点Ｐ１２の反対側の血管壁上にある少なくとも１つの点を基準点とすることで、選択点Ｐ１２以外の輪郭点（Ｐ１３〜Ｐ１６）を選択点Ｐ１２に追随させて移動させることが可能となる。
【００８５】
図８（ｃ）において、基準点は、可動点Ｐ１２〜Ｐ１６の反対側の血管壁上の輪郭点Ｐ１７〜Ｐ２１である。すなわち、基準点は、可動点ごとにそれぞれ設定される。輪郭修正部１２は、選択点Ｐ１２（第１の可動点）と基準点Ｐ１７とを通る直線Ｌ１２（第１の直線）に対する選択点Ｐ１２の移動方向に応じて、可動点Ｐ１３〜Ｐ１６（第２の可動点）と基準点Ｐ１８〜Ｐ２１とを通る直線Ｌ１３〜Ｌ１６（第２の直線）に対する可動点Ｐ１３〜Ｐ１６の移動方向を決定する。図８（ｃ）において、可動点Ｐ１２〜Ｐ１６の移動方向は、それぞれ直線Ｌ１２〜Ｌ１６の方向である。また、上述のように、輪郭修正部１２は、選択点Ｐ１２（第１の可動点）の移動量Ｍ１２に応じて、可動点Ｐ１３〜Ｐ１６（第２の可動点）を移動させる。
【００８６】
一方、図８（ｄ）では、基準点は、可動点Ｐ１２の反対側の血管壁上の輪郭点Ｐ１７である。すなわち、選択点Ｐ１２の近傍にある可動点４点（Ｐ１３〜Ｐ１６）は１つの点Ｐ１７を基準点として輪郭を修正することも可能である。図８（ｄ）において、可動点Ｐ１２〜Ｐ１６の移動方向は、それぞれ直線Ｌ１２〜Ｌ１６の方向である。
【００８７】
本発明によれば、心臓の超音波像だけでなく、血管の表示した超音波像に対しても、複数の輪郭点の修正を行うことができる。なお、基準点は、血管壁上の輪郭点に限られない。例えば、血管壁上またはそれ以外の箇所において、任意に１つ以上の基準点を設定することができる。
【００８８】
以上、添付図面を参照しながら、本発明に係る医用画像診断装置の好適な実施形態について説明したが、本発明はかかる例に限定されない。本発明は、超音波画像に限定されず、Ｘ線画像、ＣＴ、ＭＲＩ、超音波画像（ＵＳ）、及び血管造影（血管撮影）などの医用画像にも適用可能である。また、本発明は、心腔領域の輪郭線に限定されず、血管領域の輪郭線（例えば、血管壁の輪郭線）などにも適用可能である。また、当業者であれば、本願で開示した技術的思想の範疇内において、各種の変更例又は修正例に想到し得ることは明らかであり、それらについても当然に本発明の技術的範囲に属するものと了解される。
【産業上の利用可能性】
【００８９】
本発明にかかる医用画像診断装置は、少ない手順と時間で複数の輪郭点を同時に修正することができ、滑らかな曲線を維持したまま輪郭の修正を可能とするという効果を有し、特に、医用画像における対象領域の輪郭を修正する医用画像診断装置などとして有用である。
【符号の説明】
【００９０】
１  超音波診断装置
２  被検体
３  超音波信号生成部
４  超音波画像生成部
５  記憶部
６  出力／表示部
７  入力部
８  演算部
９  輪郭線抽出部
１０  計測値算出部
１１  重心位置算出部
１２  輪郭修正部
２０１  表示画面
２０２  左室拡張末期画像
２０３  計測値
２０６  輪郭
【図１】
0005814655.tif 000004
【図２】
0005814655.tif 000005
【図３】
0005814655.tif 000006
【図４】
0005814655.tif 000007
【図５】
0005814655.tif 000008
【図６】
0005814655.tif 000009
【図７】
0005814655.tif 000010
【図８】
0005814655.tif 000011